(57)【要約】      （修正有）【課題】容器本体に対する蓋体の着脱がきわめて容易で、かつ内容物の取り出しも容易な包装用容器を提供する。【解決手段】有底筒状の容器本体２と、容器本体の開口部を開閉する蓋体４から構成され、容器本体は、開口部の外周に、蓋体と係合する係着部３を有し、係着部は、外側に傾斜させて形成した傾斜面３ａと、その先端部を内側に弧状に折曲げて形成した円弧部３ｂと、円弧部の先端部を容器本体の外周部に接するよう水平に延出させて形成した折り返し部３ｃで構成され、蓋体は、開口部の縁部４ｂが、円弧部３ｂおよび折り返し部３ｃと当接するよう形成されている。【選択図】図１
0003198644.tif 000002
【実用新案登録請求の範囲】
【請求項１】
有底筒状の容器本体と、この容器本体の開口部を開閉する蓋体から構成され、
前記容器本体は、
その開口部の外周に、前記蓋体と係合する係着部を有し、
前記係着部は、外側に傾斜させて形成した傾斜面と、その先端部を内側に弧状に折曲げて形成した円弧部と、当該円弧部の先端部を容器本体の外周部に接するよう水平に延出させて形成した折り返し部で構成され、
前記蓋体は、
その開口部の縁部が、前記円弧部および折り返し部と当接するよう形成されていること
を特徴とする包装用容器。
【請求項２】
前記容器本体に形成される傾斜面は、
傾斜角度が３０°以下であること
を特徴とする請求項１に記載の包装用容器。
【請求項３】
前記容器本体は、
金属素材で構成されていること
を特徴とする請求項１又は２に記載の包装用容器。
【請求項４】
前記係着部は、
前記蓋体が、前記容器本体の開口部を閉止している状態においては、前記傾斜面の下部円弧部が、前記蓋体の開口縁部の内周面と当接し、前記折り返し部の先端部下面が開口縁部の先端部と当接するよう形成されていること
を特徴とする請求項１又は２に記載の包装用容器。
【請求項５】
前記蓋体は、
弾性素材で構成され、頂面部の外周縁から下方に垂下した開口縁部に、縦方向に所要間隔でスリットを形成したものであること
を特徴とする請求項１〜５のいずれかに記載の包装用容器。
【請求項６】
前記蓋体と前記包装用容器本体の間には、
パッキンが介装されること
を特徴とするものである。
を特徴とする請求項１〜６のいずれかに記載の包装用容器。
【考案の詳細な説明】
【技術分野】
【０００１】
この考案は、塗料などを収容する包装用容器に関するものである。
より具体的には、包装用容器を開閉するための蓋体の着脱が容易で、かつ内容物を容易に取り出すことが可能な包装用容器に関するものである。
【背景技術】
【０００２】
塗料などの内容物を収容するための包装用容器として、金属製缶やプラスチック製缶などの種々の缶容器が存在する。
このような缶容器は、輸送時における内容物の漏れを防ぐために、容器本体の上部の開口部内周面に形成されたリング状の蓋受部に、蓋体を押し込むことによって開口部を閉止する構成の包装用容器が一般的である。
【０００３】
例えば、特開２００１−３１０５０号公報（特許文献１）においては、開口縁等への塗料等の内容物の付着や、容器本体外への塗料等の内容物の漏洩を防止できて、刷毛への塗料等の内容物の適量な付着量（又は収容量）の調整がし易い、容器が提案されている。
【０００４】
この容器は、有底状の容器本体の上端内周にリング状の蓋受部を備え、同蓋受部に開閉可能とされた蓋体によって、前記蓋受部の内側の開口が、開閉されるように構成されたものである。
なお、前記容器本体の上部には、前記開口内に臨むべく内容物調量用のすり切り部材が設けられている。
【先行技術文献】
【特許文献】
【０００５】
【特許文献１】特開２００１−３１０５０号公報（請求項１，図１）
【考案の概要】
【考案が解決しようとする課題】
【０００６】
前記従来の包装用容器では、容器本体の開口部の上部の内周面に蓋受部が形成されていることによって、内容物を取り出すことが容易でないという問題があった。
【０００７】
さらに、この包装用容器においては、容器本体の上部の開口部の内周面に形成されたリング状の蓋受部に蓋を押し込むという構成を採用しているため、容器本体から蓋を取り外す際には、前記蓋受部と蓋の間にドライバーなどを差し込んでこじ開ける必要がある。
一方、容器本体に蓋を装着する際には、蓋を金槌などで叩いて取り付けたりするなど、蓋の取り付け及び取り外しが容易でないという問題もあった。
【０００８】
この考案はかかる現状に鑑み、容器本体に対する蓋体の着脱がきわめて容易で、かつ内容物の取り出しも容易な包装用容器を提供せんとするものである。
【課題を解決するための手段】
【０００９】
前記目的を達成するため、この考案の包装用容器は、
有底筒状の容器本体と、この容器本体の開口部を開閉する蓋体から構成され、
前記容器本体は、
その開口部の外周に、前記蓋体と係合する係着部を有し、
前記係着部は、外側に傾斜させて形成した傾斜面と、その先端部を内側に弧状に折曲げて形成した円弧部と、当該円弧部の先端部を容器本体の外周部に接するよう水平に延出させて形成した折り返し部で構成され、
前記蓋体は、
その開口部の縁部が、前記円弧部および折り返し部と当接するよう形成されていること
を特徴とするものである。
【００１０】
この考案の請求項２に記載の考案は、
請求項１に記載の包装用容器において、
前記容器本体に形成される傾斜面は、
傾斜角度が３０°以下であること
を特徴とするものである。
【００１１】
この考案の請求項３に記載の考案は、
請求項１又は２に記載の包装用容器において、
前記容器本体は、
金属素材で構成されていること
を特徴とするものである。
【００１２】
この考案の請求項４に記載の考案は、
請求項１又は２に記載の包装装用容器において、
前記係着部は、
前記蓋体が、前記容器本体の開口部を閉止している状態においては、前記傾斜面の下部円弧部が、前記蓋体の開口縁部の内周面と当接し、前記折り返し部の先端部下面が開口縁部の先端部と当接するよう形成されていること
を特徴とするものである。
【００１３】
請求項５に記載の考案は、
請求項１〜４のいずれかに記載の包装用容器において、
前記蓋体は、
弾性素材で構成され、頂面部の外周縁から下方に垂下した開口縁部に、縦方向に所要間隔でスリットを形成したものであること
を特徴とするものである。
【００１４】
請求項６に記載の考案は、
請求項１〜５のいずれかに記載の包装用容器において、
前記蓋体と前記包装用容器本体の間には、
パッキンが介装されること
を特徴とするものである。
【考案の効果】
【００１５】
この考案にかかる包装用容器は、前記容器本体の開口部上縁を外側に、その断面が逆Ｄ字形状となるよう屈曲させて係着部としているので、前記係着部の下部の折り返し部に沿って蓋体の開口縁部の先端部が滑り込み、前記蓋体と前記容器本体がしっかりと係合する。
したがって、蓋体は包装用容器本体から外れにくく、かつ密閉性に優れた包装用容器とすることができる。
【００１６】
さらに、前記包装用容器本体の内部の幅又は径は、開口部から底部まで一定であるので、内容物の取り出しは、極めて容易である。
【００１７】
さらにまた、前記蓋体を、弾性素材で構成するとともに、その頂面部の外周縁から垂下する開口縁部に、縦方向に等間隔で切り欠いてスリットを設けることができる。これにより複数の係止部材が形成されるので、前記蓋体は、その着脱が極めて容易であり、包装用容器本体から外れにくいものとなる。
【図面の簡単な説明】
【００１８】
【図１】この考案にかかる包装用容器の要部を示す断面図である。
【図２】前記包装用容器を構成する包装用容器本体の開口部の拡大断面図である。
【考案を実施するための形態】
【００１９】
以下、この考案にかかる包装用容器の実施の形態を、添付の図面に基づいて具体的に説明する。
なお、この考案の包装用容器は、図示の実施例に限定されるものではなく、考案の要旨を変更しない範囲内で改良を加えることができるものである。
【００２０】
この考案の包装用容器１は、図１に示すように、容器本体２と蓋体４とから構成されるものである。
前記容器本体２は、有底筒状体からなるもので、円筒体であっても角筒体であっても、筒状であれば、その形状には特段の制限はない。
【００２１】
前記容器本体２は、図１及び２に示すように、その開口部の外周に沿って、前記蓋体４と係合する係着部３を有する。
この係着部３は、前記容器本体２の開口部上縁を外側にかつ下方に向けて傾斜させて形成した傾斜面３ａと、この傾斜面３ａの先端部を内側（容器本体２方向）に弧状に屈曲させて形成した円弧部３ｂと、当該円弧部３ｂの先端部を前記容器本体２方向に水平に延出させて形成した折返し部３ｃで構成されている。
【００２２】
前記係着部３を構成する傾斜面３ａは、外方に２５〜３０°の角度で延出させることが好ましく、３０°を超える場合には取り扱いに問題が生じ、２５°以下の場合には、蓋体４の開口縁部４ａと当接する面積が狭くなって、蓋体４と容器本体２との係着性を阻害するおそれがある。
【００２３】
前記蓋体４は、図１で明らかなように、下方に垂下する開口部４ａの先端縁部４ｂを、前記容器本体２の係着部３、具体的には、円弧部３ｂおよび折返し部３ｃと当接するよう形成したものである。
【００２４】
かかる蓋体４は、ステンレススチールやブリキなどの弾性素材、好ましくは、弾性金属素材で構成されるもので、その頂面の外周部から垂下する開口部４ａには、図示しないが用途に応じて所要の間隔で縦方向にスリットを形成してもよい。
このスリットの形成によって、この蓋体４は、頂面部の外周部近傍を押圧した状態で前記容器本体２の開口部に嵌着させることで、容器本体２の開口部を容易に閉止することができる。
【００２５】
一方、前記蓋体４の頂面部の中央部を押圧して前記スリットを外方に拡げることで、前記容器本体２の係着部３との係合を解除し、前記容器本体２の開口部を開放することができるので、前記蓋体４の前記容器本体への着脱を極めて容易に行うことができる。
なお、このような蓋体は、ＪＩＳ Ｚ１６０７にＢ形として規定されている。
【００２６】
さらに、図１に示すように、前記蓋体４を前記容器本体２に嵌着させた際には、前記開口部４ａの内周面に、前記係着部３の円弧部３ｂと当接するとともに、前記開口部４ａの円弧をなす部分（開口縁部）４ｂが前記傾斜面３ａに形成された折返し部３ｃに当接し、前記開口部４ａと前記係着部３が係合するので、前記蓋体４と容器本体２との確実な嵌合が達成される。
【００２７】
しかも、前記係着部３は、図１及び２に示すように、外側にかつ下方に向けて傾斜させた傾斜面３ａを有するので、前記蓋体４を前記容器本体２の開口部に装着する際には、前記係着部３の傾斜面３ａに沿って前記蓋体４の開口縁部４ｂの先端部が下部の折り返し部３ｃに滑り込むので、前記蓋体４の容器本体２の開口部への装着は極めて容易である。
【００２８】
さらに、前記容器本体２は、その内部の幅又は径が、開口部から底部まで一定となるように形成することによって、内容物が底部に僅かに残った場合であっても、その内容物の取り出しは、極めて容易である。
【００２９】
この実施例では、前記容器本体２と蓋体４との間にパッキン５が介装されているので、密閉性がより優れ、内容物の漏出が格段に防止できる。
【００３０】
なお、この実施例においては、前記包装用容器１は、金属素材で構成されているが、本考案の効果を損なわない範囲で、樹脂や紙などの他の素材で構成してもよい。
【産業上の利用可能性】
【００３１】
この考案にかかる包装用容器は、蓋体と容器本体を確実に嵌合させることを可能とし、容器本体への蓋体の着脱が容易で、かつ内容物を容易に取り出すことを可能とするものであるので、包装用容器を製造ないし取扱う業界に利用される可能性の高いものである。
【符号の説明】
【００３２】
１      包装用容器
２      容器本体
３      係着部
３ａ    傾斜面
３ｂ    円弧部
３ｃ    折返し部
４      蓋体
４ａ    開口部
４ｂ    開口縁部
５      パッキン
【図１】
0003198644.tif 000003
【図２】
0003198644.tif 000004
【手続補正書】
【提出日】平成27年5月14日(2015.5.14)
【手続補正１】
【補正対象書類名】実用新案登録請求の範囲
【補正対象項目名】全文
【補正方法】変更
【補正の内容】
【実用新案登録請求の範囲】
【請求項１】
有底筒状の容器本体と、この容器本体の開口部を開閉する蓋体から構成され、
前記容器本体は、
その開口部の外周に、前記蓋体と係合する係着部を有し、
前記係着部は、外側に傾斜させて形成した傾斜面と、その先端部を内側に弧状に折曲げて形成した円弧部と、当該円弧部の先端部を容器本体の外周部に接するよう水平に延出させて形成した折り返し部で構成され、
前記蓋体は、
その開口部の縁部が、前記円弧部および折り返し部と当接するよう形成されていること
を特徴とする包装用容器。
【請求項２】
前記容器本体に形成される傾斜面は、
傾斜角度が３０°以下であること
を特徴とする請求項１に記載の包装用容器。
【請求項３】
前記容器本体は、
金属素材で構成されていること
を特徴とする請求項１又は２に記載の包装用容器。
【請求項４】
前記係着部は、
前記蓋体が、前記容器本体の開口部を閉止している状態においては、前記傾斜面の下部円弧部が、前記蓋体の開口縁部の内周面と当接し、前記折り返し部の先端部下面が開口縁部の先端部と当接するよう形成されていること
を特徴とする請求項１又は２に記載の包装用容器。
【請求項５】
前記蓋体は、
弾性素材で構成され、頂面部の外周縁から下方に垂下した開口縁部に、縦方向に所要間隔でスリットを形成したものであること
を特徴とする請求項１〜４のいずれかに記載の包装用容器。
【請求項６】
前記蓋体と前記包装用容器本体の間には、
パッキンが介装されること
を特徴とする請求項１〜５のいずれかに記載の包装用容器。